(57)【要約】      （修正有）【課題】使用者を固定剤の不快な臭いから保護することを可能にし、それにも拘らずその際固定工程の目標固定時間を正確に定めることを可能にする固定容器を提供する。【解決手段】組織学的試料又は少なくとも１つの試料を含む試料受容装置を受容するための固定容器１において、前記固定容器は、固定剤の少なくとも１つの調製成分３０を含むこと、及び前記固定剤の少なくとも１つの更なる調製成分２１は、前記少なくとも１つの調製成分から分離されて前記固定容器に収容されており、該少なくとも１つの調製成分と該少なくとも１つの更なる調製成分の混合の際に前記試料を固定するための固定剤が生成することを特徴とする。【選択図】図１
0003189784.tif 000002
【実用新案登録請求の範囲】
【請求項１】
組織学的試料又は、少なくとも１つの試料を含む試料受容装置を受容するための固定容器であって、
前記固定容器は、固定剤の少なくとも１つの調製成分を含むこと、及び
前記固定剤の少なくとも１つの更なる調製成分が、前記少なくとも１つの調製成分から分離されて前記固定容器に収容されており、該少なくとも１つの調製成分と該少なくとも１つの更なる調製成分の混合の際に前記試料を固定するための固定剤が生成するよう構成されること
を特徴とする固定容器。
【請求項２】
前記固定容器は、前記少なくとも１つの更なる調製成分が収容される蓋部（２）を有すること
を特徴とする請求項１に記載の固定容器。
【請求項３】
前記蓋部（２）において隔壁が前記少なくとも１つの更なる調製成分を含む室を閉鎖し、該隔壁は前記蓋部（２）と前記固定容器の容器部（３）の結合の際に少なくとも部分的に破壊されるよう構成されること
を特徴とする請求項２に記載の固定容器。
【請求項４】
前記固定容器は、前記調製成分の混合により生じる固定剤の前記試料に対する作用の開始によって定義される曝露時点を、試料に割り当てられた記憶装置（４）に記憶するよう構成されること
を特徴とする請求項１〜３の何れかに記載の固定容器。
【請求項５】
前記記憶装置（４）は、前記固定容器の構成要素であること
を特徴とする請求項１〜４の何れかに記載の固定容器。
【請求項６】
前記蓋部は、試料を通過させて前記固定容器の中に導入可能にするスロットを有すること
を特徴とする請求項２〜５の何れかに記載の固定容器。
【請求項７】
前記スロットを閉鎖するためのフラップを備えること
を特徴とする請求項６に記載の固定容器。
【請求項８】
前記固定容器は、前記曝露時点を、前記記憶装置（４）に自動的に記憶するよう構成されること
を特徴とする請求項４〜７の何れかに記載の固定容器。
【請求項９】
組織学的試料又は、少なくとも１つの試料を含む試料受容装置を受容するための固定容器であって、
前記固定容器は、固定剤を生成する少なくとも１つの調製成分を収容可能に構成されること、
前記固定容器は、前記固定剤を生成する少なくとも１つの更なる調製成分が前記少なくとも１つの調製成分から分離されて収容可能に構成されること、
前記固定容器は、前記分離収容された少なくとも１つの調製成分及び少なくとも１つの更なる調製成分を混合可能に構成されること、
前記固定容器は、前記混合の際に前記試料を固定するための固定剤が生成するよう構成されること
を特徴とする固定容器。
【請求項１０】
前記固定容器は、前記少なくとも１つの更なる調製成分が収容される蓋部（２）を有すること
を特徴とする請求項９に記載の固定容器。
【請求項１１】
前記蓋部（２）は、前記少なくとも１つの更なる調製成分を含む室を閉鎖する隔壁を有すること、及び
前記隔壁は、前記蓋部（２）と前記固定容器の容器部（３）の結合の際に少なくとも部分的に破壊されるよう構成されること
を特徴とする請求項１０に記載の固定容器。
【請求項１２】
前記固定容器は、前記調製成分の混合により生じる固定剤の前記試料に対する作用の開始によって定義される曝露時点を、試料に割り当てられた記憶装置（４）に記憶するよう構成されること
を特徴とする請求項９〜１１の何れかに記載の固定容器。
【請求項１３】
前記記憶装置（４）は、前記固定容器の構成要素であること
を特徴とする請求項９〜１２の何れかに記載の固定容器。
【請求項１４】
前記蓋部は、試料を通過させて前記固定容器の中に導入可能にするスロットを有すること
を特徴とする請求項１０〜１３の何れかに記載の固定容器。
【請求項１５】
前記スロットを閉鎖するためのフラップを備えること
を特徴とする請求項１４に記載の固定容器。
【請求項１６】
前記固定容器は、前記曝露時点を前記記憶装置（４）に自動的に記憶するよう構成されること
を特徴とする請求項１２〜１５の何れかに記載の固定容器。
【考案の詳細な説明】
【技術分野】
【０００１】
本考案は、組織学的試料又は少なくとも１つの試料を含む試料受容装置を受容するための固定容器に関する。
【背景技術】
【０００２】
生物学的組織試料が組織学的検査のために調製される必要があることは技術水準から既知である。そして、摘出された試料が切断ステーションにおいて切断され、カセット内にもたらされることが知られている。次いで、試料は顕微鏡検査のための複数の化学処理によって調製される。化学処理を行う場合、試料はまず固定剤で固定されるが、その際、試料に含まれる水分は除去され、場合によっては更なる処理工程が実行される。最後に、試料はパラフィン又はワックスに包埋される。パラフィンブロックは顕微鏡による検査のために個別の薄い組織切片に切断される。
【考案の概要】
【考案が解決しようとする課題】
【０００３】
固定工程後には試料の更なる処理又は試料の診断工程の実行は困難であるか、場合によっては不可能であることが実際上しばしば起きる。これらの問題は、試料が過大又は過小に固定されている場合に生じる。固定時間は試料厚ｍｍ（ミリメートル）当り約１ｈ（時間）であるという経験則が知られているが、この経験則は実験室における作業の慌ただしさの中では大抵の場合極めて大雑把にしか顧慮されない（きちんと顧慮されていない）。
【０００４】
共同実験者が試料を適切に固定することになっている場合であっても、その共同実験者が例えば試料を固定剤に導入する正確な時間を忘れたり、或いは、その共同実験者が試料を固定剤から本来的に取り出す必要がある時点においてまさに他の作業に係わっていたり注意をそらされていたりするという問題が起こり得る。
【０００５】
より後段の処理工程において、試料の更なる処理が適切にはできないこと又は固定が不完全であるために有意な診断が不可能であることが明らかになった場合にはとりわけ、すべての工程が初めから−そもそも代替試料が調達可能な場合に限るが−繰り返さなければならないであろう。
【０００６】
それゆえ、本考案の課題は、使用者を固定剤の不快な臭いから保護することを可能にし、それにも拘らずその際固定工程の目標固定時点（Sollfixierzeitpunkt）ないし目標固定時間を正確に定めることを可能にする、組織学的試料又は少なくとも１つの試料を含む試料受容装置を受容するための固定容器を提供することである。
【課題を解決するための手段】
【０００７】
上記の課題を解決するために、本考案の第１の視点により、組織学的試料又は少なくとも１つの試料を含む試料受容装置（Probenaufnahme）を受容するための固定容器が提供される。この固定容器において、
前記固定容器は、固定剤の少なくとも１つの調製成分を含むこと、及び
前記固定剤の少なくとも１つの更なる調製成分は、前記少なくとも１つの調製成分から分離されて前記固定容器に収容されており、該少なくとも１つの調製成分と該少なくとも１つの更なる調製成分の混合の際に前記試料を固定するための固定剤が生成すること
を特徴とする（第１基本構成・形態１）。
更に、本考案の第２の視点により、組織学的試料又は、少なくとも１つの試料を含む試料受容装置を受容するための固定容器が提供される。この固定容器において、
前記固定容器は、固定剤を生成する少なくとも１つの調製成分を収容可能に構成されること、
前記固定容器は、前記固定剤を生成する少なくとも１つの更なる調製成分が前記少なくとも１つの調製成分から分離されて収容可能に構成されること、
前記固定容器は、前記分離収容された少なくとも１つの調製成分及び少なくとも１つの更なる調製成分を混合可能に構成されること、
前記固定容器は、前記混合の際に前記試料を固定するための固定剤が生成するよう構成されることを特徴とする（第２基本構成・形態９）。
【考案を実施するための形態】
【０００８】
以下に、本考案の好ましい実施の形態を示す。
（形態１）上掲第１基本構成参照。
（形態２）上記形態１の固定容器は、前記少なくとも１つの更なる調製成分が収容される蓋部を有することが好ましい。
（形態３）上記形態２の固定容器において、前記蓋部において隔壁が前記少なくとも１つの更なる調製成分を含む室を閉鎖し、該隔壁は前記蓋部と前記固定容器の容器部の結合の際に少なくとも部分的に破壊されることが好ましい。
（形態４）上記形態１〜３の何れかの固定容器は、前記調製成分の混合により生じる固定剤の前記試料に対する作用の開始によって定義される曝露時点を、試料に割り当てられた記憶装置に、有利には自動的に、記憶することが好ましい。
（形態５）上記形態１〜４の何れかの固定容器において、前記記憶装置は、前記固定容器の構成要素であることが好ましい。
（形態６）上記形態２〜５の何れかの固定容器において、前記蓋部は、試料を通過させて前記固定容器の中に導入可能にするスロットを有することが好ましい。
（形態７）上記形態６の固定容器は、前記スロットを閉鎖するためのフラップないし蝶番蓋（Klappe）を備えることが好ましい。
（形態８）上記形態４〜７の何れかの固定容器において、前記固定容器は、前記曝露時点を、前記記憶装置に自動的に記憶するよう構成されることが好ましい。
（形態９）上掲第２基本構成参照。
（形態１０）上記形態９の固定容器において、前記固定容器は、前記少なくとも１つの更なる調製成分が収容される蓋部を有することが好ましい。
（形態１１）上記形態１０の固定容器において、前記蓋部は、前記少なくとも１つの更なる調製成分を含む室を閉鎖する隔壁を有すること、及び
前記隔壁は、前記蓋部と前記固定容器の容器部の結合の際に少なくとも部分的に破壊されるよう構成されることが好ましい。
（形態１２）上記形態９〜１１の何れかの固定容器において、前記固定容器は、前記調製成分の混合により生じる固定剤の前記試料に対する作用の開始によって定義される曝露時点を、試料に割り当てられた記憶装置に記憶するよう構成されることが好ましい。
（形態１３）上記形態９〜１２の何れかの固定容器において、前記記憶装置は、前記固定容器の構成要素であることが好ましい。
（形態１４）上記形態１０〜１３の何れかの固定容器において、前記蓋部は、試料を通過させて前記固定容器の中に導入可能にするスロットを有することが好ましい。
（形態１５）上記形態１４の固定容器において、前記スロットを閉鎖するためのフラップを備えることが好ましい。
（形態１６）上記形態１２〜１５の何れかの固定容器において、前記固定容器は、前記曝露時点を前記記憶装置に自動的に記憶するよう構成されることが好ましい。
【０００９】
少なくとも１つの更なる（第２）調製成分から少なくとも１つの第１調製成分を分離した構成は、試料が常に調製されたての固定剤に導入可能であることが保証されるという利点を提供する。調製されたての固定剤の利点は、固定剤の固定特性が分かるため、試料を固定剤から取り出す時点を正確に評価する（見積もる）ことが可能である点にある。これとは反対に、汚染されたないし鮮度が落ちた固定剤の場合は、固定特性は予め評価する（見積もる）ことができず、その結果、固定剤から試料を取り出す時点が過度に早くなるか或いは過度に遅くなるという危険がある。
【００１０】
固定すべき試料は、時間的に固定剤に導入する前に、例えばカセットのような試料受容装置に収容されることも可能である。試料をカセットに配することによって、試料が固定剤の内部において自在に動き回ることができず、カセットによって定置的に位置決めされることが保証される。試料がカセットに挿入される前に、試料は例えば切断ステーションにおいて切断されることも可能である。試料の切断及び／又は試料のカセットへの挿入は、少なくとも部分的に自動的に実行することも可能である。複数のカセットは、例えばカセット支持装置のような試料受容装置において支持されることも可能である。試料を固定（処理）するために、カセット及び／又はカセット支持装置は固定剤の中に導入される。
【００１１】
カセット支持装置は、同じ患者からの複数の試料を同じカセット支持装置に収容することができるという利点を有する。かくして、１人の患者の複数の試料は、（当該患者に属するものとして）容易に同定されることも可能である。
【００１２】
ただ一つのカセット支持装置には、例えば同じ患者の１６〜２４個のカセットを配することも可能である。当然のことながら、ただ一人の患者の試料（複数）のみを（ただ一つの）カセット支持装置に配することが不可欠ということではない。複数の患者からの試料（複数）を含む複数のカセットをただ一つのカセット支持装置によって支持することも全く可能である。更に、カセット支持装置が１６個未満の又は２５個以上のカセット受容可能に構成されることも当然可能である。
【００１３】
固定容器は、更なる（第２）調製成分が収容される（配される）蓋部を有することも可能である。蓋部における更なる（第２）調製成分の収容は、固定剤のすべての成分が既に含まれているが、完全な（完成した）固定剤はまだ含まれていない固定容器が形成されるという利点を提供する。必要時に初めて固定剤が生成されることによって、想定より早い（経時）劣化を回避される。更に、悪臭を放つのは通常は完全な（完成した）固定剤であってその個々の成分ではないので、悪臭問題は大幅に回避される。
【００１４】
第１調製成分及び更なる（第２）調製成分は、粉末状態、固体状態又は液体状態で存在することができる。例えば、固定容器、とりわけ固定容器の容器部（例えばタンク）、に配される第１調製成分は液体状態で存在し、他方、更なる（第２）調製成分は固体状態で、例えば蓋部に配される。
【００１５】
更なる（第２）調製成分は、有利には蓋部が容器部にセットされたときに初めて、容器部に配された第１調製成分に導入される。とりわけ、蓋部には、更なる第２調製成分を含む室を閉鎖する、とりわけ弾性的に構成された、隔壁を備えることも可能である。この室の中には、例えばカプセル状に構成された第２調製成分を収容する（配する）ことも可能である。
【００１６】
更に、隔壁は、固定容器の蓋部と容器部が結合する際に隔壁が少なくとも部分的に破壊されることにより、更なる（第２）調製成分が第１調製成分と接触することができるよう構成されることも可能である。隔壁は、当該隔壁の一部の領域のみが破壊され、他の領域が蓋部に結合された状態に留まり、それによって隔壁が固定剤と接触することが回避されるように構成されることも可能である。蓋部に形成される室に更なる（第２）調製成分を収容することによって、コンパクトに構成された固定容器が利用可能になる。更に、隔壁は、容器部に配される第１調製成分と反応しない材料で構成されることも可能である。
【００１７】
蓋部は、固定容器の容器部に外側から螺合することも可能である。蓋部に設けられた隔壁は、蓋部と容器部が結合する際に、所定の力値ないし所定の回転モーメント値を超過する力及び／又は回転モーメント（トルク）が蓋部に印加されたときに、隔壁が自動的に少なくとも部分的に破壊されるように構成されることも可能である。その結果、蓋部が容器部に緩やかにしか嵌められていない場合には、隔壁の不所望の破壊を回避することができる。
【００１８】
蓋部にはスロットを設けることも可能である。このスロットを介して、例えば処理装置に設けられた搬送装置によって、試料、とりわけカセット又は複数の試料を含むカセット支持装置を固定剤から除去することができる。かくして、固定剤からの試料の取り出しは、固定容器の容器部から蓋部をねじって取り外すことを必要とすることなく、簡単な態様で実行することができる。
【００１９】
試料、とりわけカセット又はカセット支持装置がスロットを介して固定装置の内部に導入されることも可能である。カセット又はカセット支持装置は、スロットを介して導入された後に隔壁に力を印加することにより、隔壁を破壊して上記（第１及び第２）調製成分の混合を引き起こすことができる。このことは、固定容器内にカセット又はカセット支持装置を導入したのちに初めて混合過程が引き起こされることを意味する。或いは、蓋部にスロットが形成されない実施態様ももちろん可能である。この実施態様の場合は、固定剤に試料を導入する前に又は固定剤から試料を取り出す前に、容器部から蓋部が除去される必要がある。
【００２０】
更に、スロットを閉鎖するための、とりわけ可動の、フラップないし蝶番蓋（Klappe）を蓋部に設けることも可能である。スロットは、試料又は例えばカセット又はカセット支持装置のような試料受容装置が固定容器に導入され又は固定容器から取り出されたとき、自動的に開放されるよう構成されることも可能である。フラップの存在は、例えば切断ステーションから処理装置に固定容器を搬送する際に現れる固定剤による悪臭問題が回避されるという利点を提供する。なぜなら、フラップは固定過程の間スロットを閉鎖するため、固定容器からの蒸気の漏出は阻止されるからである。
【００２１】
更に、固定容器の構成要素である記憶装置を設けることも可能である。記憶装置は、固定装置の蓋部又は容器部に接設又は内設されることができる。記憶装置には、曝露時点（Aussetzungszeitpunkt）及び／又は目標固定時点（Sollfixierzeitpunkt）ないし目標固定時間が記憶されることも可能である。とりわけ、固定容器は、曝露時点を（１つの）試料に割り当てられた記憶装置に記憶することができる。この場合、曝露時点は、上記（第１及び第２）調製成分の混合により得られる固定剤の試料に対する作用の開始によって定義される。記憶は、自動的に、例えば読出し手段及び／又は書込み手段によって、実行することも可能である。
【００２２】
ここで、本考案の意義において、曝露時点とは、試料に対する固定剤の作用が開始する時点をいう。また、作用時間とは、本考案の意義において、試料が固定剤の作用に曝されている（作用を受けている）期間として理解される。このため、曝露時点は、作用時間の開始（始点）を表す。理想的な場合では、作用時間は目標固定時間に対応する。
【００２３】
読出し手段及び／又は書込み手段によって記憶装置に書き込まれる目標固定時間は、固定剤に試料及び／又はカセット及び／又はカセット支持装置を導入する前に、自動的に求められる（計算ないし検出される）ことも可能である。目標固定時間は、例えば処理装置によって求められることができるが、とりわけ試料の寸法及び種類に依存する。ここで、固定（処理）は、通常、試料が大きいほど一層長く継続する。
【００２４】
特別な一実施形態では、記憶装置は、カセットに接設又は内設される。とりわけ、複数の試料を含む複数のカセットをカセット支持装置に配することも可能である。１つのカセットには１つの試料が含まれるが、複数の試料が含まれることも可能である。また、記憶装置は、カセット支持装置に接設又は内設されることも可能である。
【００２５】
記憶装置は、電子的又は光学的記憶装置として構成されることも可能である。更に、記憶装置は、例えばＲＦＩＤ（radio frequency identification）チップのようなトランスポンダ（Transponder）を有することも可能である。トランスポンダを備えることによって、記憶装置と、切断ステーション及び／又は組織学的試料を処理するための処理装置との間の通信が簡単な態様で可能になる。
【００２６】
特別な一実施形態は、複数の試料が１つの共通の記憶装置に割り当てられるよう構成される。とりわけ、例えばカセット支持装置に支持された複数の試料が１つの記憶装置に割り当てられることも可能である。複数の試料を１つの記憶装置に割り当てる構成は、使用する記憶装置の数が減少され、そのため、コストが削減されるという利点を提供する。
【００２７】
ただ一つの記憶装置に（尤も複数の記憶装置に割り振ることも可能である）、複数の試料の曝露時点（複数）及び／又は試料に関連する更なる情報（複数）が記憶されることも可能である。とりわけ、（１つの）記憶装置に、更なる試料処理のための情報（複数）及び／又は試料（複数）の目標固定時間（複数）が書き込まれることも可能である。代替的に（その代わりに）又は追加的に（それに加えて）、固定剤から試料を取り出した後に、（１つの）記憶装置に、実際の固定時間に関する情報が書き込まれることも可能である。この情報の書き込みは、例えば切断ステーションの読出し手段及び／又は書込み手段によって実行することも可能である。記憶装置への情報の書き込みは、切断ステーションの外部において実行することも勿論可能である。
【００２８】
固定容器は、（第１及び第２）調製成分が互いに混合される時点を検出するセンサを備えることも可能であり、この場合、曝露時点を記憶装置に書き込むことも可能である。とりわけ、センサは、隔壁が破壊されていること、従って、（第１及び第２）調製成分が互いに接触状態に至ったこと検出することも可能である。代替的に又は追加的に、センサは、蓋部に印加される力及び／又は回転モーメントを測定することも可能であり、（測定した）力及び／又は回転モーメントが記憶された所定の値を超過する場合、隔壁が破壊されたことを推定することも可能である。
【００２９】
固定容器は、処理装置の受容部に搬入されることも可能である。処理装置において、試料が固定剤の作用に曝露された記憶された曝露時点が読み出されることも可能である。更に、処理装置において、固定剤中の試料の作用時間が目標固定時間以上であるかについて検査されることも可能である。これに該当する場合には、試料は、例えば処理装置の搬送装置によって、固定容器から取り出されることも可能である。
【００３０】
本考案の実施例を模式的に示した図面を用いて詳細に説明する。なお、同一の又は同様に作用する構成要素には、大抵は、同じ図面参照符号が付されている。また、請求の範囲に付した図面参照符号は専ら考案の理解を助けるためのものに過ぎず、本考案を以下の実施例に限定することは意図していない。
【図面の簡単な説明】
【００３１】
【図１】隔壁が破壊されていない状態にある本考案の固定容器の一実施例の模式図。
【図２】隔壁が破壊された状態にある本考案の固定容器の一実施例の模式図。
【実施例】
【００３２】
図１に示した固定容器１は、蓋部２が外側に嵌合可能に、とりわけ外側に螺合可能に構成された容器部３を有する。容器部３には、例えばホルマリンのような固定剤を調製するための第１調製成分３０が収容されている（配されている）。第１調製成分３０は液体の状態で容器部３に含まれている。更に、容器部３には、カセット支持装置５が配されている。
【００３３】
カセット支持装置５は複数のカセット５１を支持する支持プレート５０を有する。これらのカセット５１には夫々少なくとも１つの試料（不図示）が配されている。カセット支持装置５は、従ってカセット５１は、第１調製成分３０によって完全に浸潤される。
【００３４】
更に、容器部３には、第１調製成分３０から離れる側（反対の側）を指向する容器部３の側部に配される記憶装置４が配される。記憶装置４には、曝露（開始）時点（Aussetzungszeitpunkt）と、有利には目標固定時間（Sollfixierzeit）が記憶される。記憶（ないし記録）は、不図示の入力手段によって手動で又は自動的に実行することができる。記憶装置４は、不図示の処理装置との通信（連絡）を可能にする不図示のトランスポンダ（Transponder）を有することも可能である。
【００３５】
更に、容器部３は、その開放側ないし開口部（図示上部）に、蓋部２の雌ネジ２４と結合（螺合）可能な雄ネジ３１を有する。蓋部２は、蓋部壁２３と隔壁２０とによって画成される室２２を有する。隔壁２０は、隔壁２０が室２２を完全に閉鎖するよう蓋部壁２３と結合されている。室２２の内部には、第２調製成分２１が配される（収容される）。更なる（第２）調製成分２１は、（図示の一例において）隔壁２０上に載置される。更に、更なる（第２）調製成分２１は、一例として、固体状態で配される。
【００３６】
隔壁２０は、蓋部２の雌ネジ２４に（図示の例では開口端部に）取り付けられる。蓋部２への隔壁２０の結合は、隔壁２０が更なる（第２）調製成分２１の質量の保持に堪えるように行われる。容器部に蓋部２を螺合すると、容器部３の雄ネジ３１は、隔壁２０に接触し、隔壁２０を蓋部２から分離する。かくして、図２に示したように、隔壁２０と第２調製成分２１は、第１調製成分３０の中に落下する。図２には、蓋部２が容器部３（の上端開口部）に（外側に）螺合されている様子が示されている。
【００３７】
以下に、固定容器１の使用の態様と作用について説明する。カセット支持装置５は、第１調製成分３０の中に浸漬（導入）される。第１調製成分３０は、カセット支持装置５のカセット５１に配された試料とは反応しないものが選択される。次に、蓋部２が容器部３に（外側から）螺合される。この螺合過程の際に、隔壁２０が蓋部２から切り離され、分離した隔壁２０と更なる（第２）調製成分２１が第１調製成分３０の中に落下する。
【００３８】
なお、固定容器の上端部（開口部）には、蓋部２の隔壁と同様な隔壁（膜）を配することも可能である。この場合、蓋部２の容器部３への螺合の際、容器部３の上部の隔壁も破壊される。容器部３の隔壁は、例えば液状物質の密閉保存に有用である。
【００３９】
更なる（第２）調製成分２１と第１調製成分３０との混合により、カセット支持装置５に含まれる試料を固定する固定剤が（反応）生成される。使用者は、不図示の入力手段によって手動で、試料と固定剤との曝露（開始）時点（Aussetzungszeitpunkt）を入力するが、これは記憶装置４に記憶される。更に、使用者は、目標固定時点（Sollfixierzeitpunkt）ないし目標固定時間を手動で入力するが、これも同様に記憶装置４に記憶される。入力手段としては、例えばキー入力装置やタッチパネルなど適宜のものを用いることができる。
【００４０】
本考案の全開示（請求の範囲を含む）の枠内において、さらにその基本的技術思想に基づいて、実施形態ないし実施例の変更・調整が可能である。また、本考案の請求の範囲の枠内において種々の開示要素（各請求項の各要素、各実施例の各要素、各図面の各要素等を含む）の多様な組み合わせ、ないし、選択が可能である。すなわち、本考案は、請求の範囲を含む全開示、技術的思想にしたがって当業者であればなし得るであろう各種変形、修正を含むことは勿論である。
【符号の説明】
【００４１】
１      固定容器
２      蓋部
３      容器部
４      記憶装置
５      カセット支持装置
２０    隔壁
２１    更なる（第２）調製成分
２２    室
２３    蓋部壁
２４    雌ネジ
３０    第１調製成分
３１    雄ネジ
５０    支持プレート
５１    カセット
【図１】
0003189784.tif 000003
【図２】
0003189784.tif 000004
【手続補正書】
【提出日】平成26年1月28日(2014.1.28)
【手続補正１】
【補正対象書類名】実用新案登録請求の範囲
【補正対象項目名】請求項５
【補正方法】変更
【補正の内容】
【請求項５】
前記記憶装置（４）は、前記固定容器の構成要素であること
を特徴とする請求項４に記載の固定容器。
【手続補正２】
【補正対象書類名】実用新案登録請求の範囲
【補正対象項目名】請求項１３
【補正方法】変更
【補正の内容】
【請求項１３】
前記記憶装置（４）は、前記固定容器の構成要素であること
を特徴とする請求項１２に記載の固定容器。